(57)【要約】【課題】乗りかご上方のオーバヘッド寸法を小さくでき、しかもソラセシーブを必要とせず、システム効率を向上させることができるマシンルームレスタイプのエレベータシステムを提供する。【解決手段】昇降路１１内の乗りかご１２と釣合錘１３とを、巻上機１４のメインシーブに巻き掛けられたメインロープを介して相互に昇降駆動するエレベータシステムで、巻上機１４は扁平形であり、乗りかご１２の一側面と昇降路内壁１１ｃとの間の上方からの投影空間内の、乗りかご１２の背面近くの位置にて傾斜して配置されている。メインロープが巻き掛けられるかごシーブ２０の径方向の一端は、上方からの投影位置が、前記投影空間内の、メインシーブの径方向一端部１４ａ近くに位置している。釣合錘１３は、乗りかご１２の背面と昇降路内壁１１ｂとの空間に昇降可能に配置され、メインロープが巻き掛けられる釣合錘シーブ２１は、その径方向の一端の上方からの投影位置が、メインシーブの径方向他端部１４ｂ近くに位置している。【選択図】図１
2015037984.tif 000002
【特許請求の範囲】
【請求項１】
昇降路内に乗りかごと釣合錘を配置し、これら乗りかごと釣合錘とを、巻上機のメインシーブに巻き掛けられたメインロープを介して相互に昇降駆動するエレベータシステムであって、
前記巻上機は、軸方向が径方向より短い扁平形であり、その扁平な面方向が、前記乗りかごの一側面とこれに対向する昇降路内壁との間の上方からの投影空間内の、前記乗りかご背面近くの位置にて、この乗りかごの一側面に対して傾斜して配置されており、
前記乗りかごの、前記メインロープが巻き掛けられるかごシーブの径方向の一端部は、その上方からの投影位置が、前記投影空間内の、前記巻上げ機のメインシーブの径方向一端部近くに位置しており、
前記釣合錘は、前記乗りかごの背面とこれに対向する前記昇降路の内壁との間の上方からの投影空間に昇降可能に配置され、前記メインロープが巻き掛けられる釣合錘シーブは、その径方向の一端部の上方からの投影位置が、メインシーブの径方向他端部近くに位置している、
ことを特徴とするエレベータシステム。
【請求項２】
前記巻上機は、前記釣合錘用ガイドレール上に設置されていることを特徴とする請求項１に記載のエレベータシステム。
【請求項３】
前記巻上機は、前記昇降路が形成される建物側に支持材を介して取り付けられていることを特徴とする請求項１に記載のエレベータシステム。
【請求項４】
前記かごシーブは、径方向の端部が前記乗りかごの前記一側面及びこの一側面と対向する他側面からそれぞれ突出する複数の滑車からなり、これら複数の滑車の回転面を結ぶ仮想線が乗りかごの前記背面に対して傾斜して配置されていることを特徴とする請求項１乃至請求項３のいずれかに記載のエレベータシステム。
【発明の詳細な説明】
【技術分野】
【０００１】
本発明の実施形態は、扁平形の巻上機を用いたマシンルームレスタイプのエレベータシステムに関する。
【背景技術】
【０００２】
エレベータシステムとして、昇降路内に乗りかごと釣合錘を配置し、これら乗りかごと釣合錘とを、巻上機のメインシーブに巻き掛けられたメインロープを介して相互に昇降駆動するものがある。このようなエレベータシステムでは、巻上機は、昇降路上部の、乗りかごの投影面上に設置されていた。このため、昇降路内における乗りかご上方の所謂オーバヘッド寸法を小さくすることができず、無駄な空間が生じた。
【０００３】
そこで、巻上機に、軸方向が径方向より短い扁平形としたものを用い、その扁平な面方向が、昇降路の上方から見た乗りかごの投影面から外れた位置に配置したマシンルームレスタイプのエレベータシステムを構成することが考えられた。この場合、釣合錘を乗りかごの背面側に昇降可能に設置する所謂後落ちに構成すると、扁平形の巻上機は、昇降路内の乗りかごの側面とこれに対向する昇降路内壁との間の空間に配置されることになる（例えば、特許文献1参照）。すなわち、乗りかごに対して、巻上機は側面側に、釣合錘は背面側に配置されるため、巻上機のメインシーブを経たメインロープを釣合錘側に直接巻き掛けることが難しく、巻上機と釣合錘との間にソラセシーブを設置し、このソラセシーブを介して巻き掛けていた
【先行技術文献】
【特許文献】
【０００４】
【特許文献１】特開２００２−２０５８８８号公報
【発明の概要】
【発明が解決しようとする課題】
【０００５】
このように巻上機を昇降路上部の、乗りかごの投影面上に設置していた場合は乗りかご上方のオーバヘッド寸法を小さくすることができず、扁平形の巻き上げ機を乗りかごの投影面から外れた位置に配置した場合はソラセシーブが必要となり、システム効率を向上させることができない。
【０００６】
発明が解決しようとする課題は、乗りかご上方のオーバヘッド寸法を小さくでき、しかもソラセシーブを必要とせず、システム効率を向上させることができるマシンルームレスタイプのエレベータシステムを提供することにある。
【課題を解決するための手段】
【０００７】
本発明の実施の形態によるエレベータシステムは、昇降路内に乗りかごと釣合錘を配置し、これら乗りかごと釣合錘とを、巻上機のメインシーブに巻き掛けられたメインロープを介して相互に昇降駆動するエレベータシステムであって、前記巻上機は、軸方向が径方向より短い扁平形であり、その扁平な面方向が、前記乗りかごの一側面とこれに対向する昇降路内壁との間の上方からの投影空間内の、前記乗りかご背面近くの位置にて、この乗りかごの一側面に対して傾斜して配置されており、前記乗りかごの、前記メインロープが巻き掛けられるかごシーブの径方向の一端は、その上方からの投影位置が、この乗りかごの一側面から、前記投影空間内の、前記巻上げ機のメインシーブの径方向一端部近くに位置しており、前記釣合錘は、前記乗りかごの背面とこれに対向する前記昇降路の内壁との間の上方からの投影空間に昇降可能に配置され、前記メインロープが巻き掛けられる釣合錘シーブは、その径方向の一端の上方からの投影位置が、メインシーブの径方向他端部近くに位置していることを特徴とする。
【図面の簡単な説明】
【０００８】
【図１】本発明の一実施形態に係るエレベータシステム平面図である。
【発明を実施するための形態】
【０００９】
以下、本発明の実施の形態について、図面を参照して詳細に説明する。
【００１０】
図１はこの実施の形態によるマシンルームレスタイプのエレベータシステムの昇降路内構成を示す平面図である。このエレベータシステムは、図1で示すように、昇降路１１内に乗りかご１２と釣合錘１３を配置し、これら乗りかご１２と釣合錘１３とを、巻上機１４のメインシーブに巻き掛けられた図示しないメインロープを介して相互に昇降駆動する構成である。
【００１１】
昇降路１１の図示下面１１ａは、各階毎の乗降口が設けられた正面側とする。乗りかご１２は、図示しない乗降口を有する正面が、昇降路１１の上述した正面側１１ａと対向するように配置される。この乗りかご１２の図示左右側方には縦方向に沿ってガイドレール１７が設けられており、乗りかご１２はこのガイドレール１７により昇降ガイドされる。釣合錘１３は、乗りかご１２の背面とこれに対向する昇降路内壁１１ｂとの空間に配置されており、その図示左右側方には縦方向に沿ってガイドレール１８が設けられ、このガイドレール１８により昇降ガイドされる。
【００１２】
巻上機１４は、軸方向が径方向より短い扁平形であり、乗りかご１２の一側面（図示左側面）とこれに対向する昇降路内壁１１ｃとの間の上方からの投影空間内の、乗りかご１２の背面近くの位置に配置される。また、この巻上機１４は、その扁平な面方向が、この乗りかご１２の一側面に対して傾斜して設けられる。すなわち、巻上機１４は、乗りかご１２の上方からの投影面から外れた位置関係で、傾斜して配置されている。
【００１３】
乗りかご１２及び釣合錘１３は、それぞれメインロープが巻き掛けられるかごシーブ２０又は釣合錘シーブ２１を有する。かごシーブ２０は、乗りかご１２の底面部に設けられた２つの滑車２０ａ，２０ｂから成る。これら滑車２０ａ,２０ｂは、それらの径方向の端部が、乗りかごの左右側面から外方に突出するように設けられている。このうち、かごシーブ２０の径方向の一端部、すなわち、一方の滑車２０ａの図示左端は、この乗りかご１２の一側面（図示左側面）とこれに対向する昇降路内壁１１ｃとの間の空間の、乗りかご１２の背面近くの部分に位置している。釣合錘シーブ２１は、釣合錘１３の上面部に設けられた２つの滑車２１ａ，２１ｂから成る。これら２つの滑車２１ａ，２１ｂは、それらの径方向が釣合錘１３の幅方向（図示左右方向）に沿うように配置されている。そして、この釣合錘シーブ２１の径方向の一端部、すなわち、一方の滑車２１ａの図示左端は、釣合錘１３上面の図示左端近くに配置されている。
【００１４】
このため、かごシーブ２０の前述した径方向の一端部（滑車２１ａの図示左端）の上方からの投影位置は、傾斜配置された巻上機１４のメインシーブの一端部１４ａ近くに位置する。また、釣合錘シーブ２１の前述した径方向の一端部（滑車２１ａの図示左端）の上方からの投影位置は、傾斜配置された巻上機１４のメインシーブの径方向の他端部１４ｂ近くに位置する。
【００１５】
図示しないメインロープは、その一端が昇降路１１内の上部に固定され、昇降路１１内を下降した後、乗りかご１２の下面部に設けられたかごシーブ２０に、その径方向他端部（滑車２０ｂの図示右端）から巻き掛けられ、このかごシーブ２０の径方向一端部（滑車２０ａの図示左端）から昇降路１１内を上昇する。この後、メインロープは巻上機１４のメインシーブに、その径方向一端１４ａから巻き掛けられた後、このメインシーブの径方向他端１４ｂから昇降路１１内を下降する。そして、釣合錘シーブ２１に、その径方向一端部（滑車２１ａの図示左端）から巻き掛けられ、この釣合錘シーブ２１の径方向他端部（滑車２１ｂの図示右端）から昇降路１１内を上昇し、その端部は昇降路１１の上部に固定される。これにより、２:１ローピングが施される。
【００１６】
このように扁平な巻上機１４を、乗りかご１２の上方からの投影面から外れた位置において乗りかご１２の一側面に対して傾斜配置したため、そのメインシーブの径方向の一端部１４ａが、かごシーブ２０の径方向の一端部（滑車２１ａの図示左端）の投影位置近くに位置し、かつ、このメインシーブの径方向の他端部１４ｂが、釣合錘シーブ２１の径方向の一端部（滑車２１ａの図示左端）の投影位置近くに位置することとなる。このため、メインロープを巻き掛ける際、巻上機１４とかごシーブ２０及び釣合錘シーブ２１との間を直接的に巻き掛けることができ、従来のようにソラセシーブを介在させる必要はなく、システム効率が向上する。
【００１７】
巻上機１４は、昇降路１１内において、釣合錘１３のガイドレール１８上に設置するとよい。このほか、巻上機１４は、昇降路１１が形成される建物側に図示しない支持材を介して取り付けてもよい。
【００１８】
また、かごシーブ２０は、その回転面、すなわち、複数の滑車２０ａ，２０ｂからなるが、これら複数の滑車２０ａ，２０ｂの回転面を結ぶ仮想線Ｘが、乗りかご１２の幅方向（図示左右方向）に対して傾斜するように構成するとよい。このように構成すると、メインロープが図示のように乗りかご１２の重心位置を通ることになるので、バランスのよい吊支時が可能となる。
【００１９】
なお、かごシーブ２０の回転面（仮想線Ｘ）は、必ずしも乗りかご１２の幅方向に対して傾斜して配置しなくてもよい。例えば、乗りかご１２が、奥行き寸法の短い形状の場合は、乗りかご底面部の背面寄りの位置で、乗りかごの幅方向とほぼ平行となるように２つの滑車２０ａ，２０ｂを配置してもよい。この場合、吊バランスは多少悪くなるが、実用上は問題ない。
【００２０】
このように、巻上機１４を扁平形とし、乗りかご１２の投影面から外した位置に設置することでオーバヘッド寸法を小さくできるとともに、この巻上機１４のメインシーブをかごシーブ２０と釣合錘シーブ２１との間に傾斜配置したので、釣合錘１３の後落ち構成をソラセシーブレスで実現することができる。
【００２１】
本発明のいくつかの実施形態を説明したが、これらの実施形態は例として提示したものであり、発明の範囲を限定することは意図していない。これら新規な実施形態は、その他のさまざまな形態で実施されることが可能であり、発明の要旨を逸脱しない範囲で、種々の省略、置き換え、変更を行うことができる。これらの実施形態やその変形は、発明の範囲や要旨に含まれると共に、特許請求の範囲に記載された発明とその均等の範囲に含まれる。
【符号の説明】
【００２２】
１１・・・昇降路
１２・・・乗りかご
１３・・・釣合錘
１４・・・扁平形の巻上機
１４ａ…メインシーブの一端部
１４ｂ…メインシーブの他端部
１８…釣合錘用ガイドレール
２０・・・かごシーブ
２１・・・釣合錘シーブ
【図１】
2015037984.tif 000003